(57)【要約】  本発明は、車両に取り外し可能に設置された車載始動電源を開示し、車載始動電源は、電気エネルギーを貯蔵するために用いられるエネルギー貯蔵モジュールと、エネルギー貯蔵モジュール及び車両の始動装置に電気的に接続された第一出力インターフェースと、エネルギー蓄積モジュール及び様々な電気機器にそれぞれ電気的に接続された複数の第二出力インターフェースと、を含み、エネルギー貯蔵モジュールは、第一出力インターフェースを介して始動装置に瞬時大電流を出力して、始動装置を始動させるために用いられ、エネルギー蓄積モジュールは、複数の第二出力インターフェースを介して対応する電気機器に対応する動作電圧を出力するために用いられる。本発明の車載始動電源は、車両を始動させるばかりではなく、様々な電気機器に接続されることができる複数の第二出力インターフェースを有するので、車載始動電源の汎用性を改善する。【選択図】図１
2021534716.tif 000002
【特許請求の範囲】
【請求項１】
車両に取り外し可能に設置された車載始動電源であって、
電気エネルギーを貯蔵するために用いられるエネルギー貯蔵モジュールと、
前記エネルギー貯蔵モジュール及び前記車両の始動装置に電気的に接続された第一出力インターフェースと、
前記エネルギー蓄積モジュール及び様々な電気機器にそれぞれ電気的に接続された複数の第二出力インターフェースと、を含み、
前記エネルギー貯蔵モジュールは、前記第一出力インターフェースを介して前記始動装置に瞬時大電流を出力して、前記始動装置を始動させるために用いられ、
前記エネルギー蓄積モジュールは、前記複数の第二出力インターフェースを介して対応する電気機器に対応する動作電圧を出力するために用いられる、
ことを特徴とする車載始動電源。
【請求項２】
前記複数の第二出力インターフェースは、２２０ＶのＡＣインターフェース、１１０ＶのＡＣインターフェース、ＵＳＢインターフェース及びＤＣインターフェースのうちの少なくとも１つを含む、
ことを特徴とする請求項１に記載の車載始動電源。
【請求項３】
前記車載始動電源は、前記エネルギー蓄積モジュールと前記第一出力インターフェースとの間に電気的に接続された変換モジュールをさらに含み、
前記始動装置によって前記車両を始動するように、前記変換モジュールは、始動信号を受信すると、前記エネルギー貯蔵モジュールから出力される電気エネルギーをに瞬時大電流に変換し且つ前記第一出力インターフェースを介して前記始動装置に出力するために用いられる、
ことを特徴とする請求項１に記載の車載始動電源。
【請求項４】
前記エネルギー貯蔵モジュールは電圧出力端を含み、前記変換モジュールは電流変換回路を含み、
前記電流変換回路は、前記エネルギー蓄積モジュールの電圧出力端に電気的に接続されて、前記エネルギー貯蔵モジュールから出力される電気エネルギーをに瞬時大電流に変換し、且つ前記第一出力インターフェースを介して前記瞬時大電流を前記始動装置に提供するために用いられる、
ことを特徴とする請求項３に記載の車載始動電源。
【請求項５】
前記車載始動電源は、ライトユニット及びスイッチユニットをさらに含み、
前記ライトユニットは、前記エネルギー蓄積モジュールに電気的に接続されて、前記エネルギー蓄積モジュールの電力供給を受け取って発光するために用いられ、
前記スイッチユニットは、前記エネルギー蓄積モジュールと前記ライトユニットとの間に電気的に接続されて、ユーザの操作に応じて、前記エネルギー蓄積モジュールと前記ライトユニットとの間の電気的接続を確立するか又は切断するために用いられる、
ことを特徴とする請求項１に記載の車載始動電源。
【請求項６】
前記スイッチユニットは、キースイッチ、トグルスイッチ又はタッチスイッチの中のいずれか１つを含む、
ことを特徴とする請求項５に記載の車載始動電源。
【請求項７】
前記エネルギー貯蔵モジュールは、リチウム電池パック、鉛酸電池パック、スーパーキャパシタ又はそれらの任意の組合を含む、
ことを特徴とする、請求項１又は２に記載の車載始動電源。
【請求項８】
前記車載始動電源は、過電流検出回路及び制御ユニットをさらに含み、
前記過電流検出回路は、前記エネルギー蓄積モジュールと前記複数の第二出力インターフェースとの間に電気的に接続されて、前記エネルギー蓄積モジュールが前記複数の第二出力インターフェースを介して出力する電流値を検出するために用いられ、
前記制御ユニットは、前記過電流検出回路に電気的に接続されて、前記エネルギー貯蔵モジュールから出力される電流値が予め設定された閾値を超えるか否かを判断し、前記エネルギー貯蔵モジュールから出力される電流値が予め設定された閾値よりも大きいと判断された場合、前記エネルギー貯蔵モジュールを制御して対応する第二出力インターフェースに電流を出力することを停止するために用いられる、
ことを特徴とする、請求項１又は２に記載の車載始動電源。
【請求項９】
前記車載始動電源は、状態検出回路、制御ユニット及び表示装置をさらに含み、
前記状態検出回路は、前記エネルギー貯蔵モジュールに接続され、前記エネルギー貯蔵モジュールの関連する電気パラメータをリアルタイムで検出するために用いられ、
前記制御ユニットは、前記状態検出回路及び前記表示装置にそれぞれ接続され、前記関連する電気的パラメータを前記表示装置に表示することを制御するために用いられる、
ことを特徴とする請求項１に記載の車載始動電源。
【請求項１０】
前記車載始動電源は、前記制御ユニットに電気的に接続されたプロンプト装置をさらに含み、
前記制御ユニットは、さらに、前記関連する電気的パラメータに基づいて、前記エネルギー貯蔵モジュールの状態が異常であるか否かを判断し、前記エネルギー貯蔵モジュールが異常な状態にあると判定された場合、前記プロンプト装置を制御してプロンプトメッセージを送信するために用いられる、
ことを特徴とする請求項９に記載の車載始動電源。
【請求項１１】
前記車載始動電源は、記憶モジュールと、前記記憶モジュールに接続されたオーディオ再生モジュールと、をさらに含み、
前記記憶モジュールは、オーディオファイルを記憶するために用いられ、
前記オーディオ再生モジュールは、前記オーディオファイルを再生するために用いられる、
ことを特徴とする請求項１に記載の車載始動電源。
【請求項１２】
前記オーディオ再生モジュールは、データ解析ユニットと、前記データ解析ユニットに電気的に接続されたスピーカユニットと、を含み、
前記データ解析ユニットは、前記記憶モジュールに記憶されたオーディオファイルを電気信号に解析し、前記スピーカユニットを駆動して再生するするために用いられる、
ことを特徴とする請求項１１に記載の車載始動電源。
【請求項１３】
前記車載始動電源は、通信モジュールをさらに含み、
前記通信モジュールは外部電子装置と通信するために用いられ、従って前記記憶モジュールに記憶されたオーディオファイルを前記外部電子装置によって再生する、
ことを特徴とする請求項１１に記載の車載始動電源。
【請求項１４】
前記車載始動電源は、ラジオモジュールをさらに含み、
前記ラジオモジュールは、無線受信ユニットと、前記無線受信ユニットに接続された検出ユニットと、を含み、
前記無線受信ユニットは、特定の周波数の無線電波を受信するために用いられ、
前記検出ユニットは、対応するオーディオ信号を復元し且つ前記オーディオ再生モジュールを介して前記オーディオ信号を再生するように、前記無線電波を復調するために用いられる、
ことを特徴とする請求項１１に記載の車載始動電源。
【請求項１５】
前記車載始動電源は、少なくとも１つの充電インターフェースをさらに含み、
前記エネルギー貯蔵モジュールは、前記少なくとも１つの充電インターフェースを介して外部電源の充電を受ける、
ことを特徴とする請求項１に記載の車載始動電源。
【請求項１６】
前記少なくとも１つの充電インターフェースは、少なくともＤＣ充電インターフェース、ＡＣ充電インターフェース及び太陽エネルギー充電インターフェースの中の一つを含む、
ことを特徴とする請求項１５に記載の車載始動電源。
【請求項１７】
前記車載始動電源は、位置決めモジュール及び通信モジュールをさらに含み、
前記位置決めモジュールは、前記車両の位置を獲得し、且つ前記通信モジュールを介してその位置を送信するために用いられる、
ことを特徴とする請求項１に記載の車載始動電源。
【請求項１８】
前記位置決めモジュールはＧＰＳ位置決めモジュール又は北斗位置決めモジュールである、
ことを特徴とする請求項１７に記載の車載始動電源。
【請求項１９】
前記車載始動電源は通信モジュールをさらに含み、前記通信モジュールは外部電子装置と通信するために用いられ、前記車載始動電源は前記通信モジュールによって前記外部電子装置から送信する制御コマンドを受信し、前記制御コマンドに基づいて対応する機能を実行する、
ことを特徴とする請求項１に記載の車載始動電源。
【発明の詳細な説明】
【技術分野】
【０００１】
本発明は、自動車用電源の技術分野に関し、特に、車載始動電源に関する。
【背景技術】
【０００２】
さまざまな内燃機車両は、人々の日常の交通及び輸送手段となっている。例えば、乗用車、バス、商品を輸送するトラックなどである。これらの車両の始動は始動電源によって実現され、始動電源はエンジンを駆動して、エンジンを作動させる。しかしながら、既存の始動電源の機能は比較的に単一であり、車両の始動にしか使用できず、車両を始動することを必要としない場合、始動電源はアイドル状態になり、始動電源の利用率が低い。
【発明の概要】
【０００３】
本発明の実施形態は、車両を始動することができるばかりではなく、様々な電気機器に電力を供給することもできる車載始動電源を開示し、車載始動電源の機能は多様化であり、利用率を向上させる。
【０００４】
本発明の実施形態は、車両に取り外し可能に設置された車載始動電源を開示する。車載始動電源は、電気エネルギーを貯蔵するために用いられるエネルギー貯蔵モジュールと、エネルギー貯蔵モジュール及び車両の始動装置に電気的に接続された第一出力インターフェースと、エネルギー蓄積モジュール及び様々な電気機器にそれぞれ電気的に接続された複数の第二出力インターフェースと、を含む。エネルギー貯蔵モジュールは、第一出力インターフェースを介して始動装置に瞬時大電流を出力して、始動装置を始動させるために用いられる。エネルギー蓄積モジュールは、複数の第二出力インターフェースを介して対応する電気機器に対応する動作電圧を出力するために用いられる。
【０００５】
本発明の車載始動電源は、車両に取り外し可能に設置されるので、第一出力インターフェースを介して車両を始動させるばかりではなく、複数の第二出力インターフェースを介して様々な電気機器に電力を供給することもでき、車載始動電源の機能は多様化であり、利用率を向上させる。
【図面の簡単な説明】
【０００６】
以下、本発明の実施形態の技術方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明の第一実施形態に係わる車載始動電源の構造を示す概略図である。
【図２】図２は、本発明の第二実施形態に係わる車載始動電源の構造を示す概略図である。
【図３】図３は、本発明の第三実施形態に係わる車載始動電源の構造を示す概略図である。
【図４】図４は、本発明の第四実施形態に係わる車載始動電源の構造を示す概略図である。
【発明を実施するための形態】
【０００７】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【０００８】
本発明の実施形態及び添付の特許請求の範囲で使用される単数形式の「１つの」、「前記」、及び「該」は、文脈が他の意味を明確に示さない限り、多数形式を含むこともできる。本明細書で使用される「及び/又は」という用語は、１つ又は複数の関連される列挙されたアイテムの任意又は全ての可能な組合せを含むことを指すことを理解されるべきである。
【０００９】
別の定義がない限り、本明細書で使用される全ての技術用語及び科学用語は、本発明の技術分野の当業者が一般に理解する意味と同じである。本発明の明細書で使用される用語は、特定の実施形態を説明するために用いられ、本発明を限定することを意図するものではない。
【００１０】
図１を参照すると、本発明の１つの実施形態に係わる車載始動電源１００の構造を示す概略図である。車載始動電源１００は、車両９００に着脱可能に設置され、車両９００の始動装置２００に電気的に接続されて、車両９００を始動させる。始動装置２００は、モーターであることができる。始動する時、車載始動電源１００はモーターを駆動してモーターを作動させた後、モーターによってエンジンを駆動してエンジン作動させて、車両９００の始動を完了する。  
【００１１】
図１に示されたように、車載始動電源１００は、電気エネルギーを貯蔵するために用いられるエネルギー貯蔵モジュール１０と、第一出力インターフェース２０と、複数の第二出力インターフェース３０と、を含む。第一出力インターフェース２０は、エネルギー貯蔵モジュール１０及び車両９００の始動装置２００に電気的に接続される。エネルギー貯蔵モジュール１０は、第一出力インターフェース２０を介して始動装置２００に瞬時大電流を出力して、始動装置２００を始動させるために用いられる。複数の第二出力インターフェース３０は、エネルギー蓄積モジュール１０及び様々な電気機器（図示せず）にそれぞれ電気的に接続される。エネルギー蓄積モジュール１０は、複数の第二出力インターフェース３０を介して対応する電気機器に対応する動作電圧を出力するために用いられる。例えば、エネルギー蓄積モジュール１０は、複数の第二出力インターフェース３０を介して携帯電話などの電子装置を充電することにより、ユーザーに利便性を提供し、ユーザー体験を向上させる。複数の第二出力インターフェース３０は、集積回路基板に設置されることができる。
【００１２】
本実施形態において、複数の第二出力インターフェース３０は、２２０ＶのＡＣインターフェース、１１０ＶのＡＣインターフェース、ＵＳＢインターフェース及びＤＣインターフェースのうちの少なくとも１つを含む。具体的には、ＵＳＢインターフェースは、ＵＳＢ−Ａインターフェース、ＵＳＢ−Ｂインターフェース（ｍｉｃｒｏ  ＵＳＢインターフェース）、ＵＳＢ−Ｃインターフェース（Ｔｙｐｅ−ｃインターフェース）などを含むが、これらに限定されない。なお、ＵＳＢインターフェースの具体的な仕様は、実際の用途に応じて設定することができ、ここでは特に限定しない。
【００１３】
再び図２を参照すると、車載始動電源１００は、エネルギー蓄積モジュール１０と第一出力インターフェース２０との間に電気的に接続された変換モジュール４０をさらに含む。始動装置２００によって車両９００を始動するように、変換モジュール４０は、始動信号を受信すると、エネルギー貯蔵モジュール１０から出力される電気エネルギーをに瞬時大電流に変換し且つ第一出力インターフェース２０を介して始動装置２００に出力するために用いられる。本実施形態において、始動信号は、車両９００の車両キーが特定のギア位置にあるときに生成される。例えば、車両９００の車両キーが「スタート」ギアにあるとき、車両９００は始動信号を生成する。他の実施形態において、始動信号は、また、ユーザの操作命令に基づいて生成され、例えば、ユーザが特定のスイッチを押すと、始動信号が生成される。
【００１４】
具体的には、エネルギー蓄積モジュール１０は、電圧出力端を含む。変換モジュール４０は、電流変換回路４１を含む。電流変換回路４１は、エネルギー蓄積モジュール１０の電圧出力端と第一出力インターフェース２０との間に電気的に接続されて、エネルギー貯蔵モジュール１０から出力される電気エネルギーを瞬時大電流に変換し、且つ第一出力インターフェース２０を介して瞬時大電流を始動装置２００に提供するために用いられる。瞬時大電流は、実際の使用状況に応じて設定することができ、１０００Ａ以上に達することができ、ここでは特に限定しない。
【００１５】
いくつかの実施形態では、第一出力インターフェース２０は、コネクタ、ワイヤクリップ、ピン、ジャックなどを含むが、これらに限定されず、ここでは特に限定しない。使用する時、第一出力インターフェース２０を始動装置２００の接続端に固定的に接続すればよい。車載始動電源１００を車両９００から取り外すことを必要とする場合、第一出力インターフェース２０を始動装置２００の接続端から分離すればよい。
【００１６】
具体的には、エネルギー貯蔵モジュール１０は、鉛酸電池パック、リチウム電池パック、スーパーキャパシタ、又はそれらの任意の組合などを含むが、これらに限定されず、ここでは特に限定しない。エネルギー貯蔵モジュール１０によって出力される電気エネルギーを高めるために、エネルギー貯蔵モジュール１０に含まれるバッテリーパックは、直列及び並列に接続されたいくつかの単一セルから構成されることを理解されるべきである。明らかに、バッテリーパックに含まれる単一セルの数量は、具体的な設計要件によって設定することができ、ここでは特に限定しない。
【００１７】
本発明で開示される車載始動電源１００は、車両９００に取り外し可能に設置されるので、第一出力インターフェース２０を介して車両９００を始動させるばかりではなく、複数の第二出力インターフェース３０を介して様々な電気機器に電力を供給することもでき、車載始動電源の機能は多様化であり、利用率を向上させる。
【００１８】
再び図３を参照すると、いくつかの実施形態において、車載始動電源１００は、ライトユニット５１及びスイッチユニット５２をさらに含む。ライトユニット５１は、エネルギー蓄積モジュール１０に電気的に接続されて、エネルギー蓄積モジュール１０の電力供給を受け取って発光するために用いられる。ライトユニット５１は、白熱灯、ＬＥＤ（Ｌｉｇｈｔ  Ｅｍｉｔｔｉｎｇ  Ｄｉｏｄｅ）等を含むが、これらに限定されない。
【００１９】
スイッチユニット５２は、エネルギー蓄積モジュール１０とライトユニット５１との間に電気的に接続されて、ユーザの操作に応じて、エネルギー蓄積モジュール１０とライトユニット５１との間の電気的接続を確立するか又は切断するために用いられる。スイッチユニット５２は、キースイッチ、トグルスイッチ又はタッチスイッチであることができ、ユーザーは、スイッチユニット５２を押し、タッチし、又はトグルして、ライトユニット５１とエネルギー貯蔵モジュール１０との間の電気的接続を切断するか又は確立することができる。
【００２０】
具体的には、ライトユニット５１とエネルギー貯蔵モジュール１０との間の電気的接続を確立すると、ライトユニット５１は発光し、ライトユニット５１とエネルギー貯蔵モジュール１０との間の電気的接続を切断すると、ライトユニット５１は発光を停止するので、ユーザは、スイッチユニット５２を介して車載始動電源ユニット１００を発光させるか否かを制御することができる。車載始動電源１００が発光する際、それを照明器具（懐中電灯など）として使用することができ、ユーザがピクニックのために運転するとき、照明器具を携帯することを必要としなく、車載始動電源１００を車両９００から取り外すだけでよい。
【００２１】
さらに、車載始動電源１００の安全性を向上させるために、いくつかの実施形態において、車載始動電源１００は、過電流検出回路５３及び制御ユニット６０をさらに含むことができる。過電流検出回路５３は、エネルギー蓄積モジュール１０と複数の第二出力インターフェース３０との間に電気的に接続されて、制御ユニット６０によって制御される。過電流検出回路５３は、エネルギー蓄積モジュール１０が複数の第二出力インターフェース３０を介して他の電気機器に出力する電流値を検出し、且つ検出した電流値を制御ユニット６０に送信するために用いられる。制御ユニット６０は、エネルギー貯蔵モジュール１０から出力される電流値が予め設定された閾値を超えるか否かを判断し、エネルギー貯蔵モジュール１０から出力される電流値が予め設定された閾値よりも大きいと判断された場合、エネルギー貯蔵モジュール１０を制御して対応する第二出力インターフェース３０に電流を出力することを停止するために用いられる。例えば、短絡によって引き起こされる出力電流が大きすぎる場合、エネルギー蓄積モジュール１０を制御して、対応する第二出力インターフェース３０に電流を出力することを停止し、その結果、車載始動電源１００自体及び他の電気機器を保護することができる。
【００２２】
いくつかの実施形態において、車載始動電源１００は、状態検出回路５４及び表示装置５５をさらに含む。状態検出回路５４は、エネルギー貯蔵モジュール１０に接続され、エネルギー貯蔵モジュール１０の関連する電気パラメータをリアルタイムで検出し、且つ関連する電気パラメータを制御ユニット６０に送信するために用いられる。制御ユニット６０は、状態検出回路５４及び表示装置５５にそれぞれ接続され、関連する電気的パラメータを表示装置５５に表示することを制御するために用いられる。関連する電気的パラメータは、エネルギー貯蔵モジュール１０の電圧値、残存電力及び内部抵抗などの情報を含む。表示装置５５は、表示画面であることができる。もちろん、表示画面は、液晶表示画面、有機発光ダイオード表示画面などを含むが、これらに限定されない。
【００２３】
本実施形態において、状態検出回路５４によってエネルギー貯蔵モジュール１０の関連する電気的パラメータを検出し、且つ関連する電気的パラメータを表示装置５５に表示することにより、エネルギー貯蔵モジュール１０の性能を直感的に表示することができ、ユーザが車載始動電源１００の関連する状況を適時に了解することに便利を提供する。
【００２４】
別の実施形態において、車載始動電源１００は、制御ユニット６０に電気的に接続されたプロンプト装置５６をさらに含む。制御ユニット６０は、関連する電気的パラメータに基づいて、エネルギー貯蔵モジュール１０の状態が異常であるか否かを判断し、エネルギー貯蔵モジュール１０が異常な状態にあると判定された場合、プロンプト装置５６を制御してプロンプトメッセージを送信して、車載始動電源１００を即時に取り替えるか又はメンテナンスするようにユーザに注意を与えることにより、ユーザが故障又は安全上の危険が存在する車載始動電源１００を使用して招く安全事故の発生を回避することができる。
【００２５】
異常な状態は、関連する電気的パラメータが予め設定された範囲内にないことを意味する。例えば、エネルギー貯蔵モジュール１０の電気量が低すぎる。このまま使用し続けると、車載始動電源１００の寿命に影響を与え、さらに車載始動電源１００が損壊する。本実施形態において、プロンプト装置５６は、ブザー又は発光ダイオードなどであることができ、警報音又は異なる色の光を発することにより、車載始動電源１００が異常状態にあることをユーザに注意を与える。もちろん、他の実施形態において、プロンプト装置５６は省略されてもよく、制御ユニット６０は、表示装置５５に異常状態情報を表示するように制御する。
【００２６】
なお、本発明の実施形態は、対応する機能を実現できるかぎり、上記の実施形態における過電流検出回路５３及び状態検出回路５４の具体的な回路構成を限定しない。
【００２７】
本実施形態において、制御ユニット６０は、シングルチップマイクロコンピュータ、マイクロ制御ユニット（ＭＣＵ）などであることができる。制御ユニット６０は、複数の信号採集ポート及び制御ポートなどを含むことができる。制御ユニット６０は、複数の信号採集ポートを介して過電流検出回路５３及び状態検出回路５４に電気的に接続されて様々な信号を獲得して、エネルギー貯蔵モジュール１０の状態を検出する。制御ユニット６０は、その制御ポートを介して表示装置５５及びプロンプト装置５６に電気的に接続されて、対応する回路又はデバイスに対して対応する制御を実行する。
【００２８】
再び図４を参照すると、車載始動電源１００の汎用性を向上させるために、車載始動電源１００は、記憶モジュール７０と、記憶モジュール７０に接続されたオーディオ再生モジュール８０と、をさらに含む。記憶モジュール７０は、オーディオファイルを記憶するために用いられる。オーディオ再生モジュール８０は、オーディオファイルを再生するために用いられる。記憶モジュール７０は、ハードディスク、メモリ、インテリジェントメモリカード、フラッシュメモリカードなどを含むが、これらに限定されない。
【００２９】
具体的には、オーディオ再生モジュール８０は、データ解析ユニット８１と、データ解析ユニット８１に電気的に接続されたスピーカユニット８２と、を含む。データ解析ユニット８１は、記憶モジュール７０に記憶されたオーディオファイルを電気信号に解析し、且つスピーカユニット８１を駆動して再生するために用いられる。本実施形態において、スピーカーユニット８２はスピーカーであることができる。他の実施形態において、スピーカユニット８２は、音声再生機能を有する他の構成要素であることができる。このように、本実施形態で開示される車載始動電源１００は、音楽再生機能も有する。
【００３０】
いくつかの他の実施形態において、車載始動電源１００は、外部電子装置と通信するために用いられる通信モジュール７１をさらに含み、従って記憶モジュール７０に記憶されたオーディオファイルを外部電子装置によって再生することができる。通信モジュール７１は、Ｂｌｕｅｔｏｏｔｈ（登録商標）モジュール、Ｗｉ−Ｆｉモジュール、赤外線モジュールなどを含むが、これらに限定されない。好ましくは、通信モジュール７１は、エネルギー消費が低く且つデータ伝送速度が速いＢＬＥ  Ｂｌｕｅｔｏｏｔｈ（登録商標）モジュールである。車載始動電源１００は、通信モジュール７１を介して外部電子装置（ブルートゥーススピーカーなど）に接続されて、音楽を再生することができ、より良い再生効果を達成し、ユーザー体験を改善することができる。他のいくつかの実施形態において、車載始動電源１００は、さらに通信モジュール７１を介して外部電子装置から送信する制御コマンドを受信し、制御コマンドに基づいて対応する機能を実行する。ユーザーが車載始動電源１００を制御することを必要とする場合、モバイル端末（携帯電話など）を介してコマンドを送信することができ、従ってリモートコントロールの目的を達成し、ユーザー操作が便利であり、ユーザー体験を改善する。
【００３１】
記憶モジュール７０は、さらにビデオファイルを記憶するために用いられる。制御ユニット６０は、表示装置５５を制御してビデオファイルを表示及び再生して、ユーザが見るようにする。もちろん、通信モジュール７０を介して外部電子装置と通信して、外部電子装置からビデオファイルを受信し、表示装置５５に外部電子装置から受信したビデオファイルを再生することもできる。
【００３２】
いくつかの実施形態において、車載始動電源１００は、ラジオモジュール９０をさらに含む。ラジオモジュール９０は、放送オーディオ信号を聞くために用いられる。具体的には、ラジオモジュール９０は、無線受信ユニット９１と、無線受信ユニット９１に接続された検出ユニット９２と、を含む。本実施形態において、無線受信ユニット９１は、特定の周波数の無線電波を受信するために用いられる。検出ユニット９２は、対応するオーディオ信号を復元し且つオーディオ再生モジュール８０を介してオーディオ信号を再生するように、無線電波を復調するために用いられる。本実施形態の車載始動電源１００は、ラジオの機能も有する。
【００３３】
なお、車載始動電源１００は、エネルギー貯蔵モジュール１０に電気的に接続された少なくとも１つの充電インターフェース７２をさらに含む。エネルギー貯蔵モジュール１０は、少なくとも１つの充電インターフェース７２を介して外部電源の充電を受ける。具体的には、少なくとも１つの充電インターフェース７２は、ＤＣ充電インターフェース、ＡＣ充電インターフェース及び太陽エネルギー充電インターフェースを含むが、これらに限定されない。車載始動電源１００は、充電のために、ＤＣ電力出力装置、ＡＣ電力出力装置又は太陽エネルギー出力装置に接続されることができる。
【００３４】
他の実施形態において、車載始動電源１００は、通信モジュール７１に接続された位置決めモジュール７３をさらに含む。位置決めモジュール７３は、車両９００の位置を獲得し、且つ通信モジュール７１を介してその位置を送信するために用いられる。したがって、車両９００に故障が発生したとき（例えば、アンカーが落とされたとき）、車載始動電源１００は、外界と通信し、車両９００の位置を送信して、即時に救急を得ることができる。外界は、監視センター又はサードパーティのモバイル端末であることができる。
【００３５】
本実施形態において、位置決めモジュール７３はＧＰＳ位置決めモジュールである。他の実施形態において、位置決めモジュール７３は、また、北斗位置決めモジュールであることができると理解されるべきである。
【００３６】
以上は、本発明の実施形態を詳細に説明した。本明細書では、具体的な例を使用して、本発明の原理及び実施形態を説明した。上記の実施形態の説明は、ただ本発明の方法及びコアアイデアの理解を助けるために用いられる。同時に、当業者であれば、本発明のアイデアに基づいて、特定の実施形態及び適用範囲を変更することができる。要約すると、本明細書の内容は、本発明を限定するものとして解釈されるべきではない。
【図１】
2021534716.tif 000003
【図２】
2021534716.tif 000004
【図３】
2021534716.tif 000005
【図４】
2021534716.tif 000006
【手続補正書】
【提出日】令和2年11月24日(2020.11.24)
【手続補正１】
【補正対象書類名】明細書
【補正対象項目名】００１０
【補正方法】変更
【補正の内容】
【００１０】
図１を参照すると、本発明の第一実施形態に係わる車載始動電源１００の構造を示す概略図である。車載始動電源１００は、車両９００に着脱可能に設置され、車両９００の始動装置２００に電気的に接続されて、車両９００を始動させる。始動装置２００は、モータであることができる。始動する時、車載始動電源１００はモーターを駆動してモーターを作動させた後、モーターによってエンジンを駆動してエンジン作動させて、車両９００の始動を完了する。
【手続補正２】
【補正対象書類名】明細書
【補正対象項目名】００１３
【補正方法】変更
【補正の内容】
【００１３】
図２を参照すると、第二実施形態において、車載始動電源１００は、エネルギー蓄積モジュール１０と第一出力インターフェース２０との間に電気的に接続された変換モジュール４０をさらに含む。始動装置２００によって車両９００を始動するように、変換モジュール４０は、始動信号を受信すると、エネルギー貯蔵モジュール１０から出力される電気エネルギーをに瞬時大電流に変換し且つ第一出力インターフェース２０を介して始動装置２００に出力するために用いられる。本実施形態において、始動信号は、車両９００の車両キーが特定のギア位置にあるときに生成される。例えば、車両９００の車両キーが「スタート」ギアにあるとき、車両９００は始動信号を生成する。他の実施形態において、始動信号は、また、ユーザの操作命令に基づいて生成され、例えば、ユーザが特定のスイッチを押すと、始動信号が生成される。
【手続補正３】
【補正対象書類名】明細書
【補正対象項目名】００１８
【補正方法】変更
【補正の内容】
【００１８】
図３を参照すると、第三実施形態において、車載始動電源１００は、ライトユニット５１及びスイッチユニット５２をさらに含む。ライトユニット５１は、エネルギー蓄積モジュール１０に電気的に接続されて、エネルギー蓄積モジュール１０の電力供給を受け取って発光するために用いられる。ライトユニット５１は、白熱灯、ＬＥＤ（Ｌｉｇｈｔ  Ｅｍｉｔｔｉｎｇ  Ｄｉｏｄｅ）等を含むが、これらに限定されない。
【手続補正４】
【補正対象書類名】明細書
【補正対象項目名】００２８
【補正方法】変更
【補正の内容】
【００２８】
図４を参照すると、車載始動電源１００の汎用性を向上させるために、第四実施形態において、車載始動電源１００は、記憶モジュール７０と、記憶モジュール７０に接続されたオーディオ再生モジュール８０と、をさらに含む。記憶モジュール７０は、オーディオファイルを記憶するために用いられる。オーディオ再生モジュール８０は、オーディオファイルを再生するために用いられる。記憶モジュール７０は、ハードディスク、メモリ、インテリジェントメモリカード、フラッシュメモリカードなどを含むが、これらに限定されない。
【手続補正５】
【補正対象書類名】明細書
【補正対象項目名】００２９
【補正方法】変更
【補正の内容】
【００２９】
具体的には、オーディオ再生モジュール８０は、データ解析ユニット８１と、データ解析ユニット８１に電気的に接続されたスピーカユニット８２と、を含む。データ解析ユニット８１は、記憶モジュール７０に記憶されたオーディオファイルを電気信号に解析し、且つスピーカユニット８２を駆動して再生するために用いられる。本実施形態において、スピーカーユニット８２はスピーカーであることができる。他の実施形態において、スピーカユニット８２は、音声再生機能を有する他の構成要素であることができる。このように、本実施形態で開示される車載始動電源１００は、音楽再生機能も有する。
【手続補正６】
【補正対象書類名】特許請求の範囲
【補正対象項目名】全文
【補正方法】変更
【補正の内容】
【特許請求の範囲】
【請求項１】
車両に取り外し可能に設置された車載始動電源であって、
電気エネルギーを貯蔵するために用いられるエネルギー貯蔵モジュールと、
前記エネルギー貯蔵モジュール及び前記車両の始動装置に電気的に接続された第一出力インターフェースと、
前記エネルギー蓄積モジュール及び様々な電気機器にそれぞれ電気的に接続された複数の第二出力インターフェースと、を含み、
前記エネルギー貯蔵モジュールは、前記第一出力インターフェースを介して前記始動装置に瞬時大電流を出力して、前記始動装置を始動させるために用いられ、
前記エネルギー蓄積モジュールは、前記複数の第二出力インターフェースを介して対応する電気機器に対応する動作電圧を出力するために用いられる、
ことを特徴とする車載始動電源。
【請求項２】
前記複数の第二出力インターフェースは、２２０ＶのＡＣインターフェース、１１０ＶのＡＣインターフェース、ＵＳＢインターフェース及びＤＣインターフェースのうちの少なくとも１つを含む、
ことを特徴とする請求項１に記載の車載始動電源。
【請求項３】
前記車載始動電源は、ライトユニット及びスイッチユニットをさらに含み、
前記ライトユニットは、前記エネルギー蓄積モジュールに電気的に接続されて、前記エネルギー蓄積モジュールの電力供給を受け取って発光するために用いられ、
前記スイッチユニットは、前記エネルギー蓄積モジュールと前記ライトユニットとの間に電気的に接続されて、ユーザの操作に応じて、前記エネルギー蓄積モジュールと前記ライトユニットとの間の電気的接続を確立するか又は切断するために用いられる、
ことを特徴とする請求項１に記載の車載始動電源。
【請求項４】
前記スイッチユニットは、キースイッチ、トグルスイッチ又はタッチスイッチの中のいずれか１つを含む、
ことを特徴とする請求項３に記載の車載始動電源。
【請求項５】
前記エネルギー貯蔵モジュールは、リチウム電池パック、鉛酸電池パック、スーパーキャパシタ又はそれらの任意の組合を含む、
ことを特徴とする、請求項１又は２に記載の車載始動電源。
【請求項６】
前記車載始動電源は、過電流検出回路及び制御ユニットをさらに含み、
前記過電流検出回路は、前記エネルギー蓄積モジュールと前記複数の第二出力インターフェースとの間に電気的に接続されて、前記エネルギー蓄積モジュールが前記複数の第二出力インターフェースを介して出力する電流値を検出するために用いられ、
前記制御ユニットは、前記過電流検出回路に電気的に接続されて、前記エネルギー貯蔵モジュールから出力される電流値が予め設定された閾値を超えるか否かを判断し、前記エネルギー貯蔵モジュールから出力される電流値が予め設定された閾値よりも大きいと判断された場合、前記エネルギー貯蔵モジュールを制御して対応する第二出力インターフェースに電流を出力することを停止するために用いられる、
ことを特徴とする、請求項１又は２に記載の車載始動電源。
【請求項７】
前記車載始動電源は、状態検出回路、制御ユニット及び表示装置をさらに含み、
前記状態検出回路は、前記エネルギー貯蔵モジュールに接続され、前記エネルギー貯蔵モジュールの関連する電気パラメータをリアルタイムで検出するために用いられ、
前記制御ユニットは、前記状態検出回路及び前記表示装置にそれぞれ接続され、前記関連する電気的パラメータを前記表示装置に表示することを制御するために用いられる、
ことを特徴とする請求項１に記載の車載始動電源。
【請求項８】
前記車載始動電源は、前記制御ユニットに電気的に接続されたプロンプト装置をさらに含み、
前記制御ユニットは、さらに、前記関連する電気的パラメータに基づいて、前記エネルギー貯蔵モジュールの状態が異常であるか否かを判断し、前記エネルギー貯蔵モジュールが異常な状態にあると判定された場合、前記プロンプト装置を制御してプロンプトメッセージを送信するために用いられる、
ことを特徴とする請求項７に記載の車載始動電源。
【請求項９】
前記車載始動電源は、記憶モジュールと、前記記憶モジュールに接続されたオーディオ再生モジュールと、をさらに含み、
前記記憶モジュールは、オーディオファイルを記憶するために用いられ、
前記オーディオ再生モジュールは、前記オーディオファイルを再生するために用いられる、
ことを特徴とする請求項１に記載の車載始動電源。
【請求項１０】
前記オーディオ再生モジュールは、データ解析ユニットと、前記データ解析ユニットに電気的に接続されたスピーカユニットと、を含み、
前記データ解析ユニットは、前記記憶モジュールに記憶されたオーディオファイルを電気信号に解析し、前記スピーカユニットを駆動して再生するために用いられる、
ことを特徴とする請求項９に記載の車載始動電源。
【請求項１１】
前記車載始動電源は、通信モジュールをさらに含み、
前記通信モジュールは外部電子装置と通信するために用いられ、従って前記記憶モジュールに記憶されたオーディオファイルを前記外部電子装置によって再生する、
ことを特徴とする請求項９に記載の車載始動電源。
【請求項１２】
前記車載始動電源は、ラジオモジュールをさらに含み、
前記ラジオモジュールは、無線受信ユニットと、前記無線受信ユニットに接続された検出ユニットと、を含み、
前記無線受信ユニットは、特定の周波数の無線電波を受信するために用いられ、
前記検出ユニットは、対応するオーディオ信号を復元し且つ前記オーディオ再生モジュールを介して前記オーディオ信号を再生するように、前記無線電波を復調するために用いられる、
ことを特徴とする請求項９に記載の車載始動電源。
【請求項１３】
前記車載始動電源は、少なくとも１つの充電インターフェースをさらに含み、
前記エネルギー貯蔵モジュールは、前記少なくとも１つの充電インターフェースを介して外部電源の充電を受ける、
ことを特徴とする請求項１に記載の車載始動電源。
【請求項１４】
前記少なくとも１つの充電インターフェースは、少なくともＤＣ充電インターフェース、ＡＣ充電インターフェース及び太陽エネルギー充電インターフェースの中の一つを含む、
ことを特徴とする請求項１３に記載の車載始動電源。
【請求項１５】
前記車載始動電源は、位置決めモジュール及び通信モジュールをさらに含み、
前記位置決めモジュールは、前記車両の位置を獲得し、且つ前記通信モジュールを介してその位置を送信するために用いられる、
ことを特徴とする請求項１に記載の車載始動電源。
【請求項１６】
前記位置決めモジュールはＧＰＳ位置決めモジュール又は北斗位置決めモジュールである、
ことを特徴とする請求項１５に記載の車載始動電源。
【請求項１７】
前記車載始動電源は通信モジュールをさらに含み、前記通信モジュールは外部電子装置と通信するために用いられ、前記車載始動電源は前記通信モジュールによって前記外部電子装置から送信する制御コマンドを受信し、前記制御コマンドに基づいて対応する機能を実行する、
ことを特徴とする請求項１に記載の車載始動電源。
【手続補正７】
【補正対象書類名】図面
【補正対象項目名】図４
【補正方法】変更
【補正の内容】
【図４】
2021534716.tif 000007
【国際調査報告】
2021534716.tif 000008
2021534716.tif 000009
2021534716.tif 000010
2021534716.tif 000011